(57)【要約】【課題】  フレーム周波数の調整のみで液晶表示素子の表示品位を向上させることが可能な液晶表示装置を提供する。【解決手段】  マトリクス型の液晶表示素子１と、液晶表示素子１を駆動する駆動手段２と、液晶表示素子１を照明するバックライト３と、駆動手段２及びバックライト３を制御する制御手段４とを備えてなる液晶表示装置であって、制御手段４は、液晶表示素子１にて所定情報を表示する領域の走査ライン数よりも多くの走査ライン数を駆動手段２にて駆動させてなる。【選択図】図１
2008304749.tif 000002
【特許請求の範囲】
【請求項１】
マトリクス型液晶表示素子と、前記液晶表示素子を駆動する駆動手段と、前記液晶表示素子を照明するバックライトと、前記駆動手段及び前記バックライトを制御する制御手段とを備えてなる液晶表示装置であって、
前記制御手段は、前記液晶表示素子にて所定情報を表示する領域の走査ライン数よりも多くの走査ライン数を前記駆動手段にて駆動させてなることを特徴とする液晶表示装置。
【請求項２】
前記制御手段は、実際に表示に使用しない走査ライン数分を前記領域の走査ラインに加えてなる制御信号を前記駆動手段に出力してなることを特徴とする請求項１に記載の液晶表示装置。
【請求項３】
前記制御手段は、実際に表示に使用しない走査ライン数を設定することによって、前記領域の走査ライン数の選択時間を短く設定し、前記領域のフレーム周波数と前記バックライトの調光周波数とが干渉域から外れるように、見かけのフレーム周波数を設定してなることを特徴とする請求項１に記載の液晶表示装置。
【発明の詳細な説明】
【技術分野】
【０００１】
本発明は、液晶表示素子と、この液晶表示素子を照明するバックライトとを備えてなる液晶表示装置に関し、特に、マトリクス型液晶表示素子を用いた液晶表示装置に好適である。
【背景技術】
【０００２】
従来の液晶表示装置は、特許文献１に開示されるものが知られている。この液晶表示装置は、マトリクス型液晶表示素子と、前記液晶表示素子を駆動する駆動手段と、前記液晶表示素子を照明するバックライトと、前記駆動手段及び前記バックライトを制御する制御手段と、を備えてなるものである。
【０００３】
また、これらの液晶表示装置は、通常、バックライトからの出力を調光用信号によって、高速にＯＮ／ＯＦＦさせ、その期間の比であるデューティ比を変えることで、等価的に輝度を調整するチョッピング調光方式を用いて調光された照明光を出力している。
【特許文献１】特開２０００−２４１７９６号公報
【発明の開示】
【発明が解決しようとする課題】
【０００４】
しかしながら、このような液晶表示装置は、制御手段であるマクロコンピュータによって出力できるフレーム周波数に制限があり、バックライトの調光周波数との干渉域からフレーム周波数を外せない場合があり、液晶表示素子がちらついたり縞模様が流れて見えるなどの表示品位を低下させてしまう問題があった。
【０００５】
そこで本発明の目的とするところは、上述した問題に着目してなされたものであって、フレーム周波数の調整のみで液晶表示素子の表示品位を向上させることが可能な液晶表示装置を提供することにある。
【課題を解決するための手段】
【０００６】
本発明の液晶表示装置は、請求項１に記載のように、マトリクス型液晶表示素子と、前記液晶表示素子を駆動する駆動手段と、前記液晶表示素子を照明するバックライトと、前記駆動手段及び前記バックライトを制御する制御手段とを備えてなる液晶表示装置であって、前記制御手段は、前記液晶表示素子にて所定情報を表示する領域の走査ライン数よりも多くの走査ライン数を前記駆動手段にて駆動させてなることを特徴とする液晶表示装置。
【０００７】
また、請求項２に記載したように、請求項１に記載の液晶表示装置において、前記制御手段は、実際に表示に使用しない走査ライン数分を前記領域の走査ラインに加えてなる制御信号を前記駆動手段に出力してなることを特徴とする。
【０００８】
また、請求項３に記載したように、請求項１に記載の液晶表示装置において、前記制御手段は、実際に表示に使用しない走査ライン数を設定することによって、前記領域の走査ライン数の選択時間を短く設定し、前記領域のフレーム周波数と前記バックライトの調光周波数とが干渉域から外れるように、見かけのフレーム周波数を設定してなることを特徴とする。
【発明の効果】
【０００９】
本発明は、マトリクス型液晶表示素子と、前記液晶表示素子を駆動する駆動手段と、前記液晶表示素子を照明するバックライトと、前記駆動手段及び前記バックライトを制御する制御手段とを備えてなる液晶表示装置に関し、フレーム周波数の調整のみで液晶表示素子の表示品位を向上できる。
【発明を実施するための最良の形態】
【００１０】
以下、本発明液晶表示装置の実施の形態として車両のインストルメントパネルに設けられる車両用計器の液晶表示部に適用した場合を例に挙げ添付図面に基づいて説明する。なお、この車両用計器は、詳しく図示しないが、ギアインジケータの他に車両走行速度や、エンジン回転数、残燃料量、積算走行距離などの車両情報を表示する複合計器からなる。
【００１１】
図１は、本発明の実施の形態の液晶表示部の電気的な構成を示すものであり、液晶表示素子１と、駆動手段２と、バックライト３と、制御手段４と、を備えている。
【００１２】
液晶表示素子１は、マトリクス型の液晶表示パネルを適用できる。液晶表示素子１は、駆動手段２からの走査ライン毎の駆動信号に基づいて表示像を形成するものである。この場合、液晶表示素子１は、前述したような車両情報を所定情報として表示する領域が設けてなり、この領域内の走査ラインが作動するように構成されている。
【００１３】
駆動手段２は、液晶表示素子１を駆動する駆動ドライバＩＣを適用でき、制御手段４からの制御信号に基づいて、液晶表示素子１を駆動するべく駆動信号を液晶表示素子１に出力するものである。駆動手段２は、液晶表示素子１にて実際に使用される領域内の走査ライン数よりも多くの出力端子を設けており、この場合、余分な出力端子は液晶表示素子１に接続せず、実際には液晶表示素子１の表示には使用しない。
【００１４】
バックライト３は、液晶表示素子１を照明する発光ダイオードを適用でき、制御手段４からの制御信号に基づいて、所定の周波数にてオン／オフする。
【００１５】
制御手段４は、駆動手段２およびバックライト３をＰＷＭ制御するマイクロコンピュータを適用でき、ＣＰＵやＲＡＭ，ＲＯＭ，入出力インターフェースを備えてなり、通信ケーブルを介して、車両情報を入力するとともに、ＲＯＭに格納された処理プログラムに基づいて、バックライト３や液晶表示素子１を制御するべく制御信号を生成し出力する。
【００１６】
また、制御手段４は、液晶表示素子１にて所定情報を表示する領域の走査ライン数よりも多くの走査ライン数分の制御信号を駆動手段２に出力する。したがって、実際に表示に使用しない走査ライン数分を加えたことにより、前記領域の走査ラインにおいて、液晶表示素子１の基準フレーム周波数で定められる１走査ラインあたりの選択時間を短く設定でき、バックライト３の調光周波数との干渉域から外れる見かけのフレーム周波数を設定できる。
【００１７】
斯かる液晶表示装置は、マトリクス型の液晶表示素子１と、液晶表示素子１を駆動する駆動手段２と、液晶表示素子１を照明するバックライト３と、駆動手段２及びバックライト３を制御する制御手段４とを備えてなる液晶表示装置であって、制御手段４は、液晶表示素子１にて所定情報を表示する領域の走査ライン数よりも多くの走査ライン数を駆動手段２にて駆動させてなる。
【００１８】
また、制御手段４は、実際に表示に使用しない走査ライン数分を前記領域の走査ラインに加えてなる制御信号を駆動手段２に出力してなる。
【００１９】
また、制御手段４は、実際に表示に使用しない走査ライン数を設定することによって、前記領域の走査ライン数の選択時間を短く設定し、前記領域のフレーム周波数とバックライト３の調光周波数とが干渉域から外れるように、見かけのフレーム周波数を設定してなる。
【００２０】
したがって、１走査ラインあたりの選択時間を、短く設定でき、バックライト３の調光周波数との干渉域から外れる見かけのフレーム周波数を設定できるため、フレーム周波数の調整のみで液晶表示素子１の表示品位を向上させることが可能な液晶表示装置となる。
【００２１】
なお、本発明の液晶表示装置を上述した実施の形態の構成にて例に挙げて説明したが、本発明はこれに限定されるものではなく、他の構成においても、本発明の要旨を逸脱しない範囲において種々の改良、並びに設計の変更が可能なことは勿論である。
【図面の簡単な説明】
【００２２】
【図１】本発明の実施の形態を示す調光制御回路の構成を示す図。
【符号の説明】
【００２３】
１    液晶表示素子
２    駆動手段
３    バックライト
４    制御手段
【図１】
2008304749.tif 000003